(57)【要約】【課題】  カメラを中心とした利用にかなう、よりユーザの使い勝手のよい情報機器を提供する。【解決手段】  被写体像の撮影を優先する第１の動作モードと着信通知を優先する第２の動作モードを選択する選択手段と、前記第１の動作モードでの着信通知を、前記第２の動作モードでの着信通知と異ならせるように制御する制御手段とを有することを特徴とする情報機器を提供する。【選択図】  図１
2006222760.tif 000002
【特許請求の範囲】
【請求項１】
被写体像の撮影を優先する第１の動作モードと着信通知を優先する第２の動作モードを選択する選択手段と、
前記第１の動作モードでの着信通知を、前記第２の動作モードでの着信通知と異ならせるように制御する制御手段とを有することを特徴とする情報機器。
【請求項２】
前記選択手段は、少なくとも撮影条件または撮像条件の一方に基づいて、前記第１の動作モードと前記第２の動作モードを選択することを特徴とする請求項１に記載の情報機器。
【請求項３】
前記選択手段は、ユーザの指示に基づいて、前記第１の動作モードと前記第２の動作モードを選択することを特徴とする請求項１に記載の情報機器。
【請求項４】
前記選択手段は、シャッターボタンが半押しの状態の場合には前記第１の動作モードを選択し、前記シャッターボタンが半押しされていない状態の場合には、前記第２の動作モードを選択することを特徴とする請求項１に記載の情報機器。
【請求項５】
前記第１の動作モードでの着信通知は、少なくとも音声または振動を伴う着信通知を行わないことを特徴とする請求項１乃至請求項４のいずれか１項に記載の情報機器。
【請求項６】
像を結像するレンズからの光を受光する撮像素子と、
前記撮像素子からの信号をＡ／Ｄ変換するＡ／Ｄ変換部と、
記録手段に前記撮像素子から出力された信号をメモリーに記憶するように制御する記憶制御手段と、を更に有することを特徴とする請求項１乃至請求項５のいずれか１項に記載の情報機器。
【請求項７】
被写体像を撮影して信号を得る撮影手段を有する情報機器の制御方法であって、
被写体像の撮影を優先する第１の動作モードと着信通知を優先する第２の動作モードを選択する選択し、前記第１の動作モードでの着信通知を、前記第２の動作モードでの着信通知と異ならせるように制御することを特徴とする情報機器の制御方法。
【発明の詳細な説明】
【技術分野】
【０００１】
本発明は撮影機能を内蔵した携帯電話の制御方法に関する。
【背景技術】
【０００２】
撮影画像を静止画としてメモリカードなどの記録媒体に記憶する機能を有する携帯電話が知られている。携帯電話の撮影機能は、当初はカメラとしては不充分な付随的な機能であったが、記録画素数の増加とともに、カメラとしても充分な能力を持つようになり、今後はカメラを中心とした利用も有望視されている。カメラを主体として使用する場合に、現状の撮影機能内蔵の携帯電話には、いくつかの不便を改善する必要があった。特に撮影中の着信に関しては、着信音、着信振動、ビューファインダの消失といった、撮影を阻害する要因が多く、それらの障害を、排除する必要があった。そこで、ビデオカメラが撮影動作を行っていない状態で着信があった場合には着信バイブレータを動作させ、撮影動作を行っている状態で着信があった場合には着信バイブレータの動作を禁止することにより、着信バイブレータによってぶれてしまうことを防止することを可能とし、利便性の改善を図った電話付きビデオカメラが提案されている。（例えば文献１）
【特許文献１】特開平１１−３１７７９３
【発明の開示】
【発明が解決しようとする課題】
【０００３】
しかしながら、文献１においては、撮影動作を行っている状態の場合には常に着信バイブレータの動作を禁止するため、撮影動作を行っている状態で電話やメールの着信があったときにはすぐに着信に気づくことができないという問題が発生していた。
【０００４】
従って、本発明では、よりユーザの使い勝手のよい情報機器を提供することを目的とする。
【課題を解決するための手段】
【０００５】
上記の問題を解決するために、本発明の情報機器は、被写体像の撮影を優先する第１の動作モードと着信通知を優先する第２の動作モードを選択する選択手段と、前記第１の動作モードでの着信通知を、前記第２の動作モードでの着信通知と異ならせるように制御する制御手段とを有することを特徴とする。
【０００６】
また、本発明の情報機器の制御方法は、被写体像を撮影して信号を得る撮影手段を有する情報機器の制御方法であって、被写体像の撮影を優先する第１の動作モードと着信通知を優先する第２の動作モードを選択する選択し、前記第１の動作モードでの着信通知を、前記第２の動作モードでの着信通知と異ならせるように制御することを特徴とする。
【発明の効果】
【０００７】
本発明によれば、カメラを中心とした利用にかなう使い勝手のよい情報機器を提供することができる。
【発明を実施するための最良の形態】
【０００８】
以下、本発明の実施例を図面に基づいて詳細に説明する。
【実施例１】
【０００９】
図１は、情報機器の簡単なブロック図の一例である。１は像を結像する撮影レンズである。ＡＦ（オートフォーカス）駆動回路部２は、例えばステッピングモータによって構成され、マイクロコンピュータ１６の制御によってレンズ１内のフォーカスレンズ位置を変化させることによりピントを合わせる。フォーカス演算に用いるデフォーカス量は、センサの出力の特定エリアを、映像信号処理回路１０を用いて演算する。
【００１０】
ズーム駆動回路部３は、例えばステッピングモータによって構成され、マイクロコンピュータ１６の制御によってレンズ１内の変倍レンズ位置を変化させることにより撮影レンズの焦点距離を変化させる。
【００１１】
絞り駆動回路部４は、例えばオートアイリス等によって構成され、マイクロコンピュータ１６の制御によって光学的な絞り値を変化させる。
【００１２】
撮像素子部６としてはＣＣＤやＣＭＯＳセンサなどが用いられ、光学的レンズ１によってその撮像素子上に結像されたフィルム像を光電変換して電気信号として取り出す。クランプ／ＣＤＳ回路７やＡＧＣ８はＡ／Ｄ変換をする前の基本的アナログ処理を行う。マイクロコンピュータ１６により、クランプレベルやＡＧＣ基準レベルの変更も可能である。
【００１３】
Ａ／Ｄ変換部９はアナログのセンサ出力信号をデジタル信号に変換する。映像信号処理回路１０は、デジタル化されたセンサ画像データに、フィルター処理、色変換処理、ガンマ処理を行い、メモリーコントローラ１３に出力する。他方、この映像信号処理回路はＤＡ変換にも内蔵されており、センサ６から入力される映像信号や、メモリーコントローラ１３から逆に入力される画像データをアナログ信号に変換し、ＥＶＦ駆動回路１１を通してＥＶＦモニタ１２に出力することも可能である。
【００１４】
これらの機能切換えはマイクロコンピュータ１６とのデータ交換により行われ、必要に応じてセンサ信号の露出情報やフォーカス情報やホワイトバランスやオートフォーカス情報をマイクロコンピュータ１６に出力可能である。
【００１５】
その情報を基にマイクロコンピュータ１６はホワイトバランスやゲイン調整を行う。また、フォーカス情報を評価してＡＦ駆動回路２に通信してフォーカスレンズを駆動する。
【００１６】
また、マイクロコンピュータ１６の指示により、何もせずに１３のメモリーコントローラを通して１９のバッファメモリーに画像データを保存することも可能である。
【００１７】
また、映像信号処理回路はＪＰＥＧなどの圧縮処理する機能も入っている。連続撮影の場合は一旦、バッファメモリーに撮影データを格納し、処理する時間がある場合にメモリーコントローラ１３を通して未処理の画像データを読み出し、１３の映像信号処理回路で画像処理や圧縮処理を行い連続撮影の速度を稼ぐ。連像撮影枚数は、バッファメモリーの大きさに左右される。
【００１８】
また、マイクロコンピュータ１６は撮影前に設定されているＩＳＯ感度、画像サイズ、画質に応じた、画像サイズの予測値データをもとに、メモリーコントローラ１３を通して、メモリーの容量を確認し、撮影可能残数を演算し、表示部材に表示する。
【００１９】
メモリーコントローラ部１３では、映像信号処理回路１０から入力された未処理のデジタル画像データをバッファメモリー１９に格納し、処理済みのデジタル画像をメモリー１４に格納したり、逆にバッファメモリー１９やメモリー１４から画像データを映像信号処理回路部１０に出力したりする。
【００２０】
また、本コントローラは、外部インターフェース１５から送られてくる映像をメモリー１４に記憶したり、メモリー１４に記憶されている画像を外部インターフェース１５から出力したりすることが可能である。メモリー１４は取り外し自由である場合もある。
【００２１】
電源部１７は、各ＩＣや駆動系に必要な電源を供給する。操作部材１８は、マイクロコンピュータ１６に操作部材の状態を伝え、マイクロコンピュータ１６はその操作部材の変化に応じて各部をコントロールする。２０（ａ）と２０（ｂ）はレリーズ釦であり、操作部材１８の入力スイッチである。２０（ａ）のみオンの状態はレリーズ釦半押し状態であり、２０（ａ）、２０（ｂ）が共にオンの場合は、撮影画像をホールドし記録するためのレリーズ釦オン状態である。２０（ｃ）は撮影モードを設定するためのモード設定ボタンである。２０（ｄ）は撮影モードを切換えるためのモード切換ボタンである。２０（ｃ）、２０（ｄ）のボタン操作に関しては、フローチャートを基に、動作の詳細を後述する。
【００２２】
１８の操作部材には、２０のほかに、ＩＳＯ設定釦、画像サイズ設定釦、画質設定釦、情報表示釦など不図示のスイッチがつながっており、スイッチの状態が検出されている。２１は液晶駆動回路であり、マイクロコンピュータ１６の表示内容命令に従って、２２の外部液晶表示や２３のファインダー内液晶表示を駆動する。また、２３のファインダー内の液晶表示には、不図示のＬＥＤなどのバックライトが配置されており、そのＬＥＤも２１の液晶駆動回路で駆動される。２４は無線通信回線との接続を制御する通信制御回路であり、内部に着信検出回路を具備する。
【００２３】
以上のように構成されたブロック図について、以下フローチャートをもとに動作を説明する。
【００２４】
フローチャートはマイクロコンピュータ１６の制御を記述するものであり、そのプログラムコードはマイクロコンピュータ１６の内部に具備されたリードオンリーメモリ（以下ＲＯＭ）に格納される。その他の格納方法の例としてはマイクロコンピュータ１６に外部バス端子を設け、外部バスに接続されるメモリデバイスに格納するという方法などがある。
【００２５】
なお、実施例では、プログラムは複数のタスクに分割されて、各タスクが、同時に並行処理されるマルチタスクシステムに添った動作を行うものとして説明を行う。
【００２６】
図２は外部より着信があった場合の動作を記述したフローチャートであり、着信動作を処理するタスク部を説明するものである。図２で示す動作は、操作性の改善を目的とした本発明の基本となる部分の動作となる。
【００２７】
ステップＳ１０１で、着信処理タスクを開始する。ステップＳ１０２で、通信制御部２４からの信号で着信があると判断した場合には、ステップＳ１０３に進む。着信がない場合にはステップＳ１０２に戻る。タスクは着信があるまで、ここにとどまる。ステップＳ１０３では、設定が撮影優先モードになっているか、撮影優先モードになっているかを判定し、撮影優先モードになっている場合にはステップＳ１０４に進む。また、撮影優先モードになっていない場合にはステップＳ１０５に進む。
【００２８】
ステップＳ１０４では、液晶画面の隅に小さく着信表示をする。これは、撮影優先モードの着信表示のために、液晶画面がファインダーとして機能していることを考慮し、表示領域の多くを占めるような着信表示は行わないようにするためである。なおかつ「着信音」と「振動」を伴う着信表示は、撮影動作の支障となるので行わないようにすることにより使い勝手が向上する。図３は表示の一例である。図３において２２は液晶画面２２ａは液晶画面をファインダーとして機能させている場合の例であり、２２ｂは着信があった場合の、表示例「楕円状のマーク」である。なお、着信があった場合の表示方法は「楕円状のマーク」のような画像による通知に限らず、ニックネームなどの差出人情報や件名、着信日時、アドレス等でも構わない。
【００２９】
ステップＳ１０５では、通信優先モードの着信表示のため、「着信音」もしくは「振動」を伴う着信動作を行い、強く着信をアピールする。
【００３０】
次に、ステップＳ１０６で、着信時の作業を終了する。以後は再び着信の待機状態に戻るべく、ステップＳ１０２に戻る。
【００３１】
以上が着信通達を取り扱う部分のフローチャートであり、その動作説明となる。なお「通話動作」「通話の終了」などの部分に関しては、別のタスクの処理となる。この処理については、本発明の主要な目的ではないため説明は省略する。
【００３２】
ステップＳ１０３での分岐条件の具体例として、メールの着信を「撮影優先モード」に、通話の着信を「通話優先モード」と仮定すると、メールを着信した際には「音声」もしくは「振動」による着信通知を禁止し、撮影の障害にならない着信通知に切換え、通話の着信をした際には「音声」もしくは「振動」による着信通知をするという構成が考えられる。
【実施例２】
【００３３】
次に実施例２について、図面を参照しながら説明する。
【００３４】
図４は、図２で撮影優先モードの判別をするステップＳ１０３の処理部分について、処理内容を拡張した動作を記述したフローチャートである。従って、実施例１で説明した部分については説明を省略する。
【００３５】
図４では、ステップＳ１０３で、設定が撮影優先モードになっているか、撮影優先モードになっているかを判定し、撮影優先モードになっている場合にはステップＳ１０４に進む。ステップＳ１０４では、液晶画面の隅に小さく着信表示をする。また、撮影優先モードになっていない場合にはステップＳ２０１に進む。Ｓ２０１において通話優先モードが、第１の通話優先モードか、第２の通話優先モードを判別する。第１の通話優先モードが設定されている場合には、ステップＳ２０２に進む。ステップＳ２０２では着信がメール着信か通話着信かを判別し、メール着信の場合には、着信音や振動を伴わないで液晶画面の隅に小さく着信表示をするステップＳ１０４に進み、通話着信の場合には、着信音もしくは振動を伴う着信動作をするステップＳ１０５に進む。
【００３６】
ステップＳ１０４またはステップＳ１０５において着信の通知を行った後、ステップＳ１０６で、着信時の作業を終了する。以後は再び着信の待機状態に戻るべく、ステップＳ１０２に戻る。
【００３７】
上述のように、第１の通話優先モードの場合には、着信がメール着信の場合には着信音や振動を行わずに着信の通知をし、着信が通話着信の場合には着信音もしくは振動を伴う着信動作をする。また、第２の通話優先モードの場合には、着信がメール着信であっても通話着信であっても、着信音もしくは振動を伴う着信動作をする。例えば、露光時間、感度等の撮像条件、もしくは、画素数などの画質設定、撮影角度、ズーム倍率、画像の圧縮率設定等の撮影条件に応じて、モード設定を行うように構成することにより、ユーザにとって使い勝手のよいものとすることができる。また、ユーザの好みに応じて、モード設定を行うようにしても、ユーザにとって使い勝手のよい情報機器を提供することができる。
【００３８】
図５は、図４における撮影優先モードと２つの通話優先モードを切換える情報機器におけるユーザインターフェース部の動作について説明するフローチャートである。この部分の動作はマルチタスク動作の中でモードを切換えるタスクの処理となる。図５において、ステップＳ３０１では優先モード設定タスクの切換動作を開始する。ステップＳ３０２では、モード設定ボタンが押されるのを待つ。モード設定ボタンが押されれば、ステップＳ３０３に進む。押されなければステップＳ３０２にとどまる。ステップＳ３０３では、液晶表示部２２にモード設定表示を行う。図６のＤ３０３はモード設定表示の一例である。
【００３９】
ステップＳ３０４で、再度モード設定ボタンが押されているか否かの判別を行う。モード設定ボタンが押された場合には、モード設定の処理を終了すべく、ステップＳ３０８に進む。ステップＳ３０８では、モード設定画面を通常画面に戻し、その後ステップＳ３０９に進み、処理を終了する。一方、モード設定ボタンが押されていない場合は、ステップＳ３０５に進み、モード切換ボタンが押されているかどうかの判別をする。ステップＳ３０５において、モード切換えボタンが押されていない場合は、ステップＳ３０４に戻り、以後Ｓ３０４とＳ３０５の処理を繰り返す。また、モード切換ボタンが押されている場合は、ステップＳ３０６に進む。ステップＳ３０６では、設定されているモードを変更する。そして、ステップＳ３０７では、変更されたモードを新たに表示する。図７（ａ）のＤ３０７（ａ）、図７（ｂ）のＤ３０７（ｂ）、図７（ｃ）のＤ３０７（ｃ）は、Ｄ３０３の変更後のモード設定表示の一例を示している。Ｄ３０７（ａ）は変更の結果として撮影優先モードが選択されているときの表示例である。Ｄ３０７（ｂ）は変更の結果として第１の通話優先モードが選択されているときの表示例である。Ｄ３０７（ｃ）は変更の結果として第２の通話優先モードが選択されているときの表示例である。表示後はステップＳ３０４に戻り、処理を繰り返す。
【００４０】
図３には実際の情報機器にモード設定ボタンとモード切換ボタンの配置例も挙げている。２０（ｃ）は撮影モードを設定するためのモード設定ボタン、２０（ｄ）は撮影モードを切換えるためのモード切換ボタンである。
【００４１】
図８に示すフローチャートは、図５で示したステップＳ３０６の内容である設定されているモードを変更する部分の詳細を説明したものである。
【００４２】
図８において、ステップＳ４０１で、モードの切換え処理を開始する。ステップＳ４０２では、現在設定されているモードが撮影優先モードかどうかを判別する。撮影優先モードの場合は、ステップＳ４０３に進み、それ以外の場合はステップＳ４０４に進む。ステップＳ４０３では、次の設定となる第１の通話優先モードを設定し、処理を終了する。
【００４３】
ステップＳ４０４では、現在設定されているモードが第１の通話優先モードかどうかを判別する。第１の優先モードの場合は、ステップＳ４０５に進み、それ以外の場合はステップＳ４０６に進む。ステップＳ４０５では、次の設定となる第２の通話優先モードを設定し、処理を終了する。
【００４４】
ステップＳ４０６では、第２の通話優先モードから、次の設定となる撮影優先モードを設定し、処理を終了する。
【実施例３】
【００４５】
次に実施例３について、図面を参照しながら説明する。図３において、ボタン２０がシャッターボタンに相当する。ボタン２０を「半押し」することによって、操作部材２０（ａ）がオンする。ボタン２０を「全押し」することによって、操作部材２０（ａ）、２０（ｂ）が共にオンする「半押し」時には、図１に示したＡＦ（オートフォーカス）駆動回路部２は、例えばステッピングモータにより、マイクロコンピュータ１６の制御によってレンズ１内のフォーカスレンズ位置を変化させる。また、絞り駆動回路部４は、例えばオートアイリス等によって構成され、マイクロコンピュータ１６の制御によって光学的な絞り値を変化させる。
【００４６】
図９は、図２で撮影優先モードの判別したステップＳ１０３の処理部分を詳細に記述したフローチャートである。実施例１で説明したステップＳ１０３はステップＳ５０１に相当する。なお、実施例１で説明した部分については同一の符号をつけ説明を省略する。
【００４７】
図９において、ステップＳ５０１では、シャッター２０が「半押し」状態になっているかどうかを判別する。判別には操作部材２０（ａ）を読み取ることで行われる。シャッターボタンが半押し状態になっている場合は、液晶画面の隅に小さく着信表示をし、なおかつ「着信音」と「振動」を伴う着信表示は、撮影動作の支障となるので行わないようにし、ステップＳ１０６に進む。
【００４８】
シャッターボタンが半押し状態になっている場合は、通信優先モードの着信表示のため、「着信音」もしくは「振動」を伴う着信動作を行い、着信をアピールして、ステップＳ１０６に進む。ステップＳ１０６では、着信時の作業を終了する。以後は再び着信の待機状態に戻るべく、ステップＳ１０２に戻る。
【００４９】
以上の動作により、オートフォーカスによるピント合わせと、自動露出機構によるシャッター速度と絞り数値の設定が行われるシャッターボタンの「半押し」状態では「音声」や「振動」を伴わない、撮影の障害にならない着信通知を行い、シャッターボタンの「半押し」がされていない場合には、「通話着信」「メール着信」のどちらの場合でも「音声」や「振動」を伴う着信通知を行う動作が実現可能である。これによりユーザの使い勝手を向上させることができる。
【図面の簡単な説明】
【００５０】
【図１】本発明による情報機器の簡単なブロック図の一例である。
【図２】外部より着信があった場合の動作を記述したフローチャートである。
【図３】情報機器の外観一例である。
【図４】図２で撮影優先モードの判別したステップＳ１０３の処理部分の動作を拡張した動作を記述したフローチャートである。
【図５】撮影優先モードと２つの通話優先モードを切換るユーザインターフェース部の動作について説明するフローチャートである。
【図６】モード設定表示の一例である。（Ｄ３０３）
【図７】（ａ）はＤ３０３の変更後のモード設定表示の一例（Ｄ３０７（ａ））、（ｂ）はＤ３０３の変更後のモード設定表示の一例（Ｄ３０７（ｂ））、（ｃ）はＤ３０３の変更後のモード設定表示の一例（Ｄ３０７（ｃ））である。
【図８】図５で示したステップＳ３０６の内容である設定されているモードを変更する部分の詳細を説明したフローチャートである。
【図９】図２で撮影優先モードの判別したステップＳ１０３の処理部分の動作を拡張した動作を記述したフローチャートである。
【符号の説明】
【００５１】
１  撮影レンズ
２  ＡＦ（オートフォーカス）駆動回路部
３  ズーム駆動回路部
４  絞り駆動回路部
５  絞り（アイリス）
６  撮像素子部
７  クランプ／ＣＤＳ回路
８  ＡＧＣ
９  Ａ／Ｄ変換部
１０  映像信号処理回路
１１  ＥＶＦ駆動回路
１２  ＥＶＦモニタ
１３  メモリーコントローラ
１４  メモリー
１５  外部インターフェース
１６  マイクロコンピュータ
１７  電源部
１８  操作部材
１９  バッファメモリー
２０（ａ）  レリーズ釦
２０（ｂ）  レリーズ釦
２０（ｃ）  撮影モードを設定するためのモード設定ボタン
２０（ｄ）  撮影モードを切換えるためのモード切換ボタン
２１  液晶駆動回路
２２  外部液晶表示
２３  ファインダー内液晶表示
２４  通信制御回路
【図１】
2006222760.tif 000003
【図２】
2006222760.tif 000004
【図３】
2006222760.tif 000005
【図４】
2006222760.tif 000006
【図５】
2006222760.tif 000007
【図６】
2006222760.tif 000008
【図７】
2006222760.tif 000009
【図８】
2006222760.tif 000010
【図９】
2006222760.tif 000011